(57)【要約】【課題】運動時などでもズレ難い着脱容易な腹巻を提供する。【解決手段】無端の腹巻１０はその巻方向へ非弾性帯１４とこの非弾性帯１４よりも伸縮性が高い巻方向へ伸縮する弾性帯１２が連続して配置している。その為、弾性帯１２の弾性力によって着用時の腹巻姿態を保持でき、運動時などでも腹巻１０がズレ難くなる。また、巻方向へ伸縮する弾性生地で成形される弾性帯１２及び非弾性帯１４が連続して巻方向へ設けられているので、腹巻１０の着脱は穿く要領で簡易に着用し得、逆に簡易に脱げる。即ち、無端の腹巻１０はその弾性帯１２によって伸縮するので、運動時などでもズレ難く且つ腹巻１０の着脱が容易になる。【選択図】図１
0003169806.tif 000002
【実用新案登録請求の範囲】
【請求項１】
無端の腹巻において、その巻方向へ伸縮する弾性生地で成形される弾性帯と、この弾性帯の上記弾性生地と比較して伸縮の少ない非弾性生地で成形される非弾性帯と、を連続して巻方向へ設けることを特徴とする腹巻。
【請求項２】
請求項１に記載の腹巻において、上記弾性帯を着用時に腹正面付近を覆い隠す範囲のみに設けることを特徴とする腹巻。
【請求項３】
請求項１又は請求項２に記載の腹巻において、上記弾性帯に被収納物が収納される収納部を設けることを特徴とする腹巻。
【考案の詳細な説明】
【技術分野】
【０００１】
本考案は、例えば祭事時の装束として或いは運動時などに着用される腹巻に関するものである。
【背景技術】
【０００２】
特許文献１には、さらし本体の両端にファスナーを付け、さらし本体上辺に複数の安全ピンなどを付けることにより、着脱などを簡単にしファスナーの位置も着用する人によってかえられる輪さらし（「腹巻」と同義）が、開示されている（「要約」参照）。具体的には、ファスナーをさらしの両端に取り付けると共に、安全ピンをブラジャー等に取り付けるものである（段落番号「０００７」、図１及び図２参照）。
【０００３】
また、特許文献２には、腹巻の両端にマジックバンド（登録商標）などで簡単に胴体などに密着でき尚且つ胴部などに圧迫を与えないワンタッチ腹巻が開示されている（「実用新案登録請求の範囲」の請求項１及び第１図参照）。また、この腹巻には、その中央部にポケットをつけることにより、アンカを入れる様にできる変形例などが開示されている（「実用新案登録請求の範囲」の請求項２及び第２図参照）。
【先行技術文献】
【特許文献】
【０００４】
【特許文献１】実用新案登録第３１５３４７４号公報
【特許文献２】実開平２−２９４０４号公報
【考案の概要】
【考案が解決しようとする課題】
【０００５】
ところで、特許文献１の背景技術として、お祭りに出演する際ハッピや着物の下に着用する下着代わりのさらしは、長い物（１０メートル近くの物）を身体にぐるぐると巻き付けて着用していた（段落番号「０００２」参照）。そして、長いさらしをそのまま着用するには、着用する際においての時間、手間がだいぶかかる（段落番号「０００３」参照）。即ち、上述した特許文献１の背景技術ではさらしの両端が裁断されたままで、係止具等は取付けられていない。
【０００６】
そのため、さらしを着用者の腹部などに数回巻き付けて始端を押えて、終端を巻付け済みのさらし間に挟込んで止めていた。そこで、特許文献１の発明に係るさらし本体では、その両端にファスナー及びその上辺に安全ピン（係止具の一種）などを付ける輪さらしが提供されている。しかし、特許文献１において、輪さらしを安全ピンなどで係止するのみでは、祭りの激しい運動時などに、輪さらしの姿態を保持し難くなる。
【０００７】
また、特許文献２のように、マジックバンド（係止具）を両端に備えた腹巻において、その緊縛力を調整可能に係止できても、上述したように祭りなどの激しい運動時には、腹巻にズレが生じることを回避できなくなる。即ち、着用者の体型（特に腹回りのタイプ）は十人十色であり、且つ激しい腹式呼吸などを伴う運動時などではマジックバンドが緩み易く、腹巻が一方に片寄ったり又はズレ落ちたりする。
【０００８】
本考案の目的は、運動時などでもズレ難い着脱容易な腹巻を提供することにある。
【課題を解決するための手段】
【０００９】
本考案は、無端の腹巻において、その巻方向へ伸縮する弾性生地で成形される弾性帯と、この弾性帯の上記弾性生地と比較して伸縮の少ない非弾性生地で成形される非弾性帯と、を連続して巻方向へ設ける。ここで、巻方向とは、胴回り方向を意味する。また、腹巻の弾性帯は例えばポリウレタン糸またはゴム糸などで織られた弾性生地としても良く、一方非弾性帯は例えば木綿を含む天然繊維またはポリエステルを含む化学繊維などで織られた非弾性生地としても良い。
【００１０】
また、本考案は、上記腹巻において、上記弾性帯を着用時に腹正面付近を覆い隠す範囲のみに設ける。ここで、着用時における弾性帯の巻方向範囲（巻方向の全範囲の割合を例えば３等分にした場合）を例えば１とし、非弾性帯の巻方向範囲を２としても良い。更に、本考案は、上記各腹巻において、上記弾性帯に被収納物が収納される収納部を設ける。この収納部は、例えば弾性帯の生地同士を縫い合せる構成としても良い。非収納物は、例えば携帯電話または財布などである。
【考案の効果】
【００１１】
本考案では、無端の腹巻において非弾性帯およびこの非弾性帯よりも伸縮性が高い弾性帯が連続して巻方向へ設けているので、弾性帯の弾性力（伸縮力と同義）によって着用者の体型（特に腹回りのタイプ）を問わず、且つ激しい腹式呼吸などを伴う運動時などでも緩み難くなる。即ち、本考案においては、弾性帯がその巻方向へ伸縮する弾性生地で成形されているので、その弾性力（巻力と同義）によって着用時の腹巻姿態を保持でき、運動時などでも腹巻がズレ難くなる。
【００１２】
また、本考案では、巻方向へ伸縮する弾性生地で成形される弾性帯および非弾性帯が連続して巻方向へ設けられているので、腹巻の着脱は穿く要領で簡易に着用し得、逆に簡易に脱げる。即ち、本考案によれば、無端の腹巻はその弾性帯によって伸縮するので、運動時などでもズレ難く且つ腹巻の着脱が容易になる。
【図面の簡単な説明】
【００１３】
【図１】本実施例に係る腹巻を示す斜視図である。
【図２】図１に示す腹巻の平面図である。
【図３】図１に示す腹巻を着用した状態の正面図である。
【図４】図６に示す腹掛の裏で着用する本実施例の腹巻の使用状態図である。
【図５】本考案の腹巻における変形例を示す正面図である。
【図６】既存の腹掛の正面図である。
【考案を実施するための形態】
【００１４】
以下、本考案を実施するための形態について、具体化した一実施例を説明する。
【実施例１】
【００１５】
以下、図１乃至図４に基づいて、本考案の一実施例である腹巻について説明する。
【００１６】
図１乃至図３に示すように、本実施例に係る腹巻１０は、無端の帯体をなし、弾性帯１２および非弾性帯１４が連続して巻方向（胴回り方向と同義）に沿ってそれぞれ配置している。この非弾性帯１４は、弾性帯１２の弾性生地と比較して伸縮の少ない例えば木綿を含む天然繊維またはポリエステルを含む化学繊維などで織られた非弾性生地で成形している。ここで、本実施例の非弾性帯１４は、さらしと同様に綿１００％の生地で成形され、この綿生地が巻方向に沿って複数回たとえば５回重ねて折り畳まれている（図２参照）。なお、本考案の腹巻１０では、非弾性帯１４の生地を折重ねする必要はない。
【００１７】
一方、弾性帯１２は、例えばポリウレタン糸またはゴム糸などで織られた巻方向へ伸縮する弾性生地（伸縮性タオル地なども含む）で成形している。ここで、本実施例の弾性帯１２は、例えば綿９５％及びポリウレタン５％の混合綿の生地で成形され、この混合綿生地が巻方向と直交する直交方向（以下、「縦幅方向」ともいう）に沿って複数回たとえば２回重ねて折り畳まれている（図２参照）。即ち、弾性帯１２は、その下端縁（折返部ともいう）１２Ａが生地を折返して閉止されている。なお、本考案の腹巻１０では、非弾性帯１４の生地を折重ねする必要はない。
【００１８】
上述したように、弾性帯１２は、その巻方向へ伸縮するよう形成されている。一方、非弾性帯１４の弾性力（伸縮力と同義）は、巻方向への弾性力よりも弱くなるように形成している。即ち、腹などへの着用時または着用していない時における腹巻１０は、図１及び図３に示すように、その弾性帯１２が縦幅方向への縮みを生じない程度に設定している。従って、図３に示すように、着用時における腹巻１０は、その巻力および縦幅方向への伸縮力によって図３に示す腹巻姿態を常に保持する。
【００１９】
本実施例では、弾性帯１２を着用時に腹正面付近を覆い隠す範囲のみに設ける。ここで、上述したように、着用者は、その体格（特に腹回りのタイプ）は十人十色であり、一概には言えないが腹巻１０は以下のように設定されている。即ち、腹巻１０において、例えば弾性帯１２は着用時における巻方向範囲（巻方向の全範囲の割合を例えば３等分にした場合）を１とし、非弾性帯１４の巻方向範囲は２になるよう設定している（図３参照）。一方、腹巻１０において、例えば弾性帯１２は着用していない時における巻方向範囲（巻方向の全範囲の割合を例えば６等分にした場合）を１とし、非弾性帯の巻方向範囲は５になるよう設定している（図１及び図２参照）。
【００２０】
図１乃至図３に示すように、非弾性帯１４の両端が弾性帯１２の両端に縦幅方向へ沿ってそれぞれ縫われるので、上述したように腹巻１０は弾性帯１２及び非弾性帯１４が連続して巻方向に沿う無端の帯体をなす。ここで、腹巻１０において、その弾性帯１２及び非弾性帯１４は、それぞれのサイズ別（例えばＳ，Ｍ，Ｌ，ＬＬなど）の長さ及び縦幅を変更して適用する。また、腹巻１０は、その縦幅を例えば腹および胸が覆えるように成形している（図４の破線参照）。なお、その縦幅などは、任意に変更し得る。
【００２１】
（本実施例の作用）
先ず、図１及び図２に示す腹巻１０を、穿く要領で図３に示す着用者の腹に着用する。この際、図３に示すように、腹巻１０は、その弾性帯１２を腹の正面へ向くように着用する。本実施例では、腹巻１０において非弾性帯１４およびこの非弾性帯１４よりも伸縮性が高い弾性帯１２が連続して巻方向へ設けているので、弾性帯１２の弾性力によって着用者の体型を問わず、且つ激しい腹式呼吸などを伴う運動時などでも緩み難くなる。
【００２２】
即ち、本実施例では、弾性帯１２がその巻方向へ伸縮する弾性生地で成形されているので、その弾性力によって着用時の腹巻姿態を保持でき、運動時などでも腹巻１０がズレ難くなる。また、本実施例では、巻方向へ伸縮する弾性生地で成形される弾性帯１２および非弾性帯１４が連続して巻方向へ設けられているので、腹巻１０の着脱は穿く要領で簡易に着用し得、逆に簡易に脱げる。
【００２３】
従って、本実施例によれば、無端の腹巻１０はその弾性帯１２によって伸縮するので、運動時などでもズレ難く且つ腹巻１０の着脱が容易になる。更に、本実施例によれば、非弾性帯１４をさらしとしているので、さらしの代用品として着用でき、さらしに比べて使い勝手が良くなる。例えば、図３に示すように、腹巻１０はその弾性帯１２が腹の正面へ向くように着用した後、図６に示すような腹掛２０を着用する。
【００２４】
この場合、弾性帯１２を着用時に腹正面付近を覆い隠す範囲のみに設けたので、図４に示すように、弾性帯１２が腹掛２０の裏に隠れるので、さらしを巻いているように視認できる。即ち、本実施例では、腹巻１０は十分にさらしの代用品として着用でき、晒腹巻きとなる。また、本実施例では、非弾性帯１４の表面に刺繍または絵柄などのプリントを描くようにしても良い。更に、腹巻１０は、その巻方向へ弾性帯１２及び非弾性帯１４を複数設けるようにしても良い。
【００２５】
（その他の変形例）
変形例に係る腹巻１０は、図５に示すように、その弾性帯１２に例えば携帯電話または財布（図示省略）などの被収納物が、収納される収納部（ポケットと同義）１６を設ける例である。変形例では、弾性帯１２の折返部１２Ａが生地を折返して閉止させると共に、その上端縁（開放口と同義）１２Ｂに係止手段であるボタン等（図示省略）を設けるようにしても良い。また、収納部１６は、図５に示す２点鎖線または１点鎖線などに沿って縫合させ、区画しても良い。
【００２６】
本変形例では、収納部１６の上端縁１２Ｂをボタンなどで閉めるので、収納部１６から被収納物が落下などしないようになっている。本変形例によれば、上述した収納部１６を設けたので、貴重品などの被収納物を収納部１６に収納できると共に、紛失・盗難などを防止し得る。また、本変形例によれば、弾性帯１２の生地同士を縫い合せるという簡単な構成であるので、新たにポケットを設けるよりも材料費および製作の手間などの労力が軽減し得る。その他の構成及び作用効果は図１に示す実施例と同様であるので、詳細説明は省略する。
【符号の説明】
【００２７】
１０…腹巻、１２…弾性帯、１４…非弾性帯、１６…収納部
【図１】
0003169806.tif 000003
【図２】
0003169806.tif 000004
【図３】
0003169806.tif 000005
【図４】
0003169806.tif 000006
【図５】
0003169806.tif 000007
【図６】
0003169806.tif 000008